(57)【要約】【課題】クリーン環境で使用可能であり、かつ、車体の大型化を抑制可能な無人搬送車を提供する。【解決手段】車体２が傾くのを抑制する転倒防止装置を備えた無人搬送車１であって、転倒防止装置は、制御部１３と、第１ドライブユニット４の上方において車体２に取り付けられた第１電動アクチュエータ１１と、第２ドライブユニット５の上方において車体２に取り付けられた第２電動アクチュエータ１２と、を備える。第１電動アクチュエータ１１は、第１ヘッドをドライブリンケージ１０に接触させることで、車体２が一方側に傾くのを抑制し、第２電動アクチュエータ１２は、第２ヘッドをドライブリンケージ１０に接触させることで、車体２が他方側に傾くのを抑制する。【選択図】図２
2018203047.tif 000002
【特許請求の範囲】
【請求項１】
車体と、
前記車体の外側で荷役動作を行うフォークと、
前記車体の一方側に配置された、第１走行輪を有する第１ドライブユニットと、
前記車体の他方側に配置された、第２走行輪を有する第２ドライブユニットと、
前記第１ドライブユニットと前記第２ドライブユニットとが上下方向に互いに反対に揺動するように、前記第１ドライブユニットと前記第２ドライブユニットとを連結したドライブリンケージと、
前記車体が傾くのを抑制する転倒防止装置と、
を備えた無人搬送車であって、
前記転倒防止装置は、
制御部と、
前記制御部の制御下で上下方向に移動する第１ヘッドを有し、前記第１ドライブユニットの上方において前記車体のフレームに取り付けられた第１電動アクチュエータと、
前記制御部の制御下で上下方向に移動する第２ヘッドを有し、前記第２ドライブユニットの上方において前記フレームに取り付けられた第２電動アクチュエータと、
を備え、
前記第１電動アクチュエータは、前記第１ヘッドを下方向に移動させて前記ドライブリンケージに接触させることで、前記車体が前記一方側に傾くのを抑制し、
前記第２電動アクチュエータは、前記第２ヘッドを下方向に移動させて前記ドライブリンケージに接触させることで、前記車体が前記他方側に傾くのを抑制する
ことを特徴とする無人搬送車。
【請求項２】
前記フォークは、前記一方側および前記他方側で荷役動作を行うスライドフォークであり、
前記一方側での荷役動作の場合、前記制御部は、前記第２ヘッドを前記ドライブリンケージに接触させることなく、前記第１ヘッドを前記ドライブリンケージに接触させ、
前記他方側での荷役動作の場合、前記制御部は、前記第１ヘッドを前記ドライブリンケージに接触させることなく、前記第２ヘッドを前記ドライブリンケージに接触させる
ことを特徴とする請求項１に記載の無人搬送車。
【請求項３】
前記第１電動アクチュエータおよび前記第２電動アクチュエータは、前記フレームの上面に取り付けられており、
前記フレームは、前記第１ドライブユニットの上方に位置し、前記第１ヘッドが入る第１開口部と、前記第２ドライブユニットの上方に位置し、前記第２ヘッドが入る第２開口部と、を有し、
前記ドライブリンケージは、前記第１開口部内で前記第１ヘッドと接触する第１ヘッド接触面と、前記第２開口部内で前記第２ヘッドと接触する第２ヘッド接触面と、を有する
ことを特徴とする請求項１または２に記載の無人搬送車。
【請求項４】
前記第１ヘッドが前記ドライブリンケージに接触したことを検出する第１センサと、
前記第２ヘッドが前記ドライブリンケージに接触したことを検出する第２センサと、
を備える
ことを特徴とする請求項１〜３のいずれか一項に記載の無人搬送車。
【請求項５】
前記第１電動アクチュエータは、
前記制御部の制御下で回転する第１モータと、
前記第１モータの回転に応じて上下方向に移動する前記第１ヘッドを有する第１電動ジャッキと、を備え、
前記第２電動アクチュエータは、
前記制御部の制御下で回転する第２モータと、
前記第２モータの回転に応じて上下方向に移動する前記第２ヘッドを有する第２電動ジャッキと、を備え、
前記第１モータおよび前記第２モータは、前記車体の内側で互いに対向するように配置される
ことを特徴とする請求項１〜４のいずれか一項に記載の無人搬送車。
【請求項６】
前記車体は、前記フレームの上方に、前記フォークを搬送ワークとともに収納する収納室を備え、
前記収納室は、前記制御部の制御下で開閉するシャッターを備え、
前記制御部は、前記第１ヘッドまたは前記第２ヘッドを前記ドライブリンケージに接触させた後に前記シャッターを開き、荷役動作終了後、前記シャッターを閉じてから前記ドライブリンケージへの接触を解除する
ことを特徴とする請求項１〜５のいずれか一項に記載の無人搬送車。
【発明の詳細な説明】
【技術分野】
【０００１】
本発明は、転倒防止装置を備えた無人搬送車に関する。
【背景技術】
【０００２】
一般に、無人搬送車の転倒防止装置には、アウトリガが使用されている。アウトリガを備えた無人搬送車としては、例えば、特許文献１に記載のものや、図５に示すものが知られている。
【０００３】
図５に示す無人搬送車１’は、車体２の四隅に走行輪４ａ〜７ａが設けられており、走行輪４ａ〜７ａの外側に油圧式のアウトリガ２０が設けられている。無人搬送車１’は、荷役動作時にアウトリガ２０を床に接触させることで、搬送ワークの重さで車体２が傾斜して転倒してしまうのを防ぐことができる。
【先行技術文献】
【特許文献】
【０００４】
【特許文献１】特開平５−３１０１０３号公報
【発明の概要】
【発明が解決しようとする課題】
【０００５】
ところで、無人搬送車１’をクリーンルーム等のクリーン環境で使用する場合、油圧式のアウトリガ２０に変えて電動式のアウトリガを設ける必要がある。電動式のアウトリガは油圧式のアウトリガ２０よりも大型であるため、無人搬送車１’に電動式のアウトリガを設けると、車体２が大型化してしまうという問題がある。
【０００６】
本発明は上記事情に鑑みてなされたものであって、その課題とするところは、クリーン環境で使用可能であり、かつ、車体の大型化を抑制可能な無人搬送車を提供することにある。
【課題を解決するための手段】
【０００７】
上記課題を解決するために、本発明に係る無人搬送車は、
車体と、
前記車体の外側で荷役動作を行うフォークと、
前記車体の一方側に配置された、第１走行輪を有する第１ドライブユニットと、
前記車体の他方側に配置された、第２走行輪を有する第２ドライブユニットと、
前記第１ドライブユニットと前記第２ドライブユニットとが上下方向に互いに反対に揺動するように、前記第１ドライブユニットと前記第２ドライブユニットとを連結したドライブリンケージと、
前記車体が傾くのを抑制する転倒防止装置と、
を備えた無人搬送車であって、
前記転倒防止装置は、
制御部と、
前記制御部の制御下で上下方向に移動する第１ヘッドを有し、前記第１ドライブユニットの上方において前記車体のフレームに取り付けられた第１電動アクチュエータと、
前記制御部の制御下で上下方向に移動する第２ヘッドを有し、前記第２ドライブユニットの上方において前記フレームに取り付けられた第２電動アクチュエータと、
を備え、
前記第１電動アクチュエータは、前記第１ヘッドを下方向に移動させて前記ドライブリンケージに接触させることで、前記車体が前記一方側に傾くのを抑制し、
前記第２電動アクチュエータは、前記第２ヘッドを下方向に移動させて前記ドライブリンケージに接触させることで、前記車体が前記他方側に傾くのを抑制する
ことを特徴とする。
【０００８】
上記無人搬送車において、
前記フォークは、前記一方側および前記他方側で荷役動作を行うスライドフォークであり、
前記一方側での荷役動作の場合、前記制御部は、前記第２ヘッドを前記ドライブリンケージに接触させることなく、前記第１ヘッドを前記ドライブリンケージに接触させ、
前記他方側での荷役動作の場合、前記制御部は、前記第１ヘッドを前記ドライブリンケージに接触させることなく、前記第２ヘッドを前記ドライブリンケージに接触させる
ことが好ましい。
【０００９】
上記無人搬送車において、
前記第１電動アクチュエータおよび前記第２電動アクチュエータは、前記フレームの上面に取り付けられており、
前記フレームは、前記第１ドライブユニットの上方に位置し、前記第１ヘッドが入る第１開口部と、前記第２ドライブユニットの上方に位置し、前記第２ヘッドが入る第２開口部と、を有し、
前記ドライブリンケージは、前記第１開口部内で前記第１ヘッドと接触する第１ヘッド接触面と、前記第２開口部内で前記第２ヘッドと接触する第２ヘッド接触面と、を有する構成にすることができる。
【００１０】
上記無人搬送車は、
前記第１ヘッドが前記ドライブリンケージに接触したことを検出する第１センサと、
前記第２ヘッドが前記ドライブリンケージに接触したことを検出する第２センサと、
を備えてもよい。
【００１１】
上記無人搬送車において、
前記第１電動アクチュエータは、
前記制御部の制御下で回転する第１モータと、
前記第１モータの回転に応じて上下方向に移動する前記第１ヘッドを有する第１電動ジャッキと、を備え、
前記第２電動アクチュエータは、
前記制御部の制御下で回転する第２モータと、
前記第２モータの回転に応じて上下方向に移動する前記第２ヘッドを有する第２電動ジャッキと、を備え、
前記第１モータおよび前記第２モータは、前記車体の内側で互いに対向するように配置される構成にすることができる。
【００１２】
上記無人搬送車において、
前記車体は、前記フレームの上方に、前記フォークを搬送ワークとともに収納する収納室を備え、
前記収納室は、前記制御部の制御下で開閉するシャッターを備え、
前記制御部は、前記第１ヘッドまたは前記第２ヘッドを前記ドライブリンケージに接触させた後に前記シャッターを開き、荷役動作終了後、前記シャッターを閉じてから前記ドライブリンケージへの接触を解除する構成にすることができる。
【発明の効果】
【００１３】
本発明によれば、クリーン環境で使用可能であり、かつ、車体の大型化を抑制可能な無人搬送車を提供することができる。
【図面の簡単な説明】
【００１４】
【図１】本発明に係る無人搬送車を示す図であって、（Ａ）は平面図、（Ｂ）は左側面図、（Ｃ）は背面図である。
【図２】本発明に係る無人搬送車の底面図である。
【図３】本発明の転倒防止装置およびその周辺の構成を示す図である。
【図４】本発明の転倒防止装置を示す図であって、（Ａ）は荷役動作時の図、（Ｂ）は荷役動作終了後の図である。
【図５】従来の無人搬送車の底面図である。
【発明を実施するための形態】
【００１５】
以下、添付図面を参照して、本発明に係る無人搬送車の実施形態について説明する。なお、前後、左右および上下の方向は、特に断りのない限り、無人搬送車の車体を基準に考えるものとする。
【００１６】
図１（Ａ）〜（Ｃ）に、本発明の一実施形態に係る無人搬送車１を示す。無人搬送車１は、例えば、クリーンルーム等のクリーン環境で使用される。無人搬送車１は、車体２と、車体２に設けられたスライドフォーク３と、を備える。
【００１７】
車体２の底面側の四隅には、第１走行輪（左前輪）４ａ、第２走行輪（右前輪）５ａ、第３走行輪（左後輪）６ａおよび第４走行輪（右後輪）７ａが設けられている。また、車体２は、スライドフォーク３を搬送ワークＷとともに収納する収納室８を備える。収納室８は、シャッター９を備える。シャッター９は、荷役動作の直前に開き、荷役動作後に閉じるように構成されている。
【００１８】
シャッター９は、収納室８の左側だけでなく右側（第２走行輪５ａおよび第４走行輪７ａの側）にも設けられている。収納室８内のスライドフォーク３を左側にスライドさせて、車体２の左外側で荷役動作を行う場合、左側のシャッター９が開く。一方、収納室８内のスライドフォーク３を右側にスライドさせて、車体２の右外側で荷役動作を行う場合は、右側のシャッター９が開く。スライドフォーク３のスライド動作およびシャッター９の開閉動作は、図２に示す制御部１３の制御下で行われる。なお、スライドフォーク３は、収納室８内において、制御部１３の制御下で旋回することができる。
【００１９】
図２に示すように、無人搬送車１は、第１走行輪４ａを含む第１ドライブユニット４と、第２走行輪５ａを含む第２ドライブユニット５と、第１ドライブユニット４および第２ドライブユニット５を連結したドライブリンケージ１０と、荷役動作時に車体２が傾くのを抑制する転倒防止装置（１１、１２、１３）と、を備える。
【００２０】
第１ドライブユニット４は、第１走行輪４ａと、第１走行輪４ａを駆動するためのモータおよび減速機構等を有する。同様に、第２ドライブユニット５は、第２走行輪５ａと、第２走行輪５ａを駆動するためのモータおよび減速機構等を有する。
【００２１】
ドライブリンケージ１０は、第１ドライブユニット４と第２ドライブユニット５とが上下方向に互いに反対に揺動するように、第１ドライブユニット４と第２ドライブユニット５とを連結したリンク機構である。ドライブリンケージ１０によれば、例えば、床の傾斜等により第１ドライブユニット４が上方向に揺動した場合、第２ドライブユニット５は下方向に揺動するので、車体２の姿勢は水平に保たれる。
【００２２】
図３に示すように、ドライブリンケージ１０は、第１接触部材１０ａと、第２接触部材１０ｂとを備える。第１接触部材１０ａは、転倒防止装置の第１ヘッド１１ａが接触する第１ヘッド接触面１０ｃを有する。第２接触部材１０ｂは、転倒防止装置の第２ヘッド１２ａが接触する第２ヘッド接触面１０ｄを有する。
【００２３】
第１ヘッド１１ａが第１ヘッド接触面１０ｃに接触している場合、少なくとも第１ドライブユニット４の上方向への揺動が抑制される。言い換えれば、車体２の第１ドライブユニット４側への傾斜が抑制される。第２ヘッド１２ａが第２ヘッド接触面１０ｄに接触している場合、少なくとも第２ドライブユニット５の上方向への揺動が抑制される。言い換えれば、車体２の第２ドライブユニット５側への傾斜が抑制される。
【００２４】
本実施形態の転倒防止装置は、第１電動アクチュエータ１１と、第２電動アクチュエータ１２と、制御部１３とを備え、油圧アクチュエータ（例えば、油圧式のアウトリガ）を備えていない。このため、本実施形態の転倒防止装置は、油漏れのリスクが無く、クリーン環境での使用に適している。
【００２５】
さらに、アウトリガで転倒防止装置を構成する場合、４装置必要になるところ、本実施形態では２装置（第１電動アクチュエータ１１と第２電動アクチュエータ１２）で転倒防止装置を構成している。このため、本実施形態では、転倒防止装置の小型化を実現することができる。
【００２６】
図２および図３に示すように、第１電動アクチュエータ１１は、第１ドライブユニット４の上方において車体２のフレーム１４に取り付けられている。第１電動アクチュエータ１１は、第１ヘッド１１ａを有する第１電動ジャッキ１１ｂと、第１モータ１１ｃと、第１ドグ１１ｄと、を備える。
【００２７】
第１モータ１１ｃは、制御部１３の制御下で回転する。第１電動ジャッキ１１ｂは、第１モータ１１ｃの回転に応じて、第１ヘッド１１ａを上下方向に移動させる。例えば、第１モータ１１ｃが正回転の場合に第１ヘッド１１ａが下方向に移動し、第１モータ１１ｃが逆回転の場合に第１ヘッド１１ａが上方向に移動する。第１ドグ１１ｄは、第１ヘッド１１ａとともに上下方向に移動するように、第１電動ジャッキ１１ｂに取り付けられている。
【００２８】
第２電動アクチュエータ１２は、第２ドライブユニット５の上方において車体２のフレーム１４に取り付けられている。第２電動アクチュエータ１２は、第２ヘッド１２ａを有する第２電動ジャッキ１２ｂと、第２モータ１２ｃと、第２ドグ１２ｄと、を備える。
【００２９】
第２モータ１２ｃは、制御部１３の制御下で回転する。第２電動ジャッキ１２ｂは、第２モータ１２ｃの回転に応じて、第２ヘッド１２ａを上下方向に移動させる。例えば、第２モータ１２ｃが正回転の場合に第２ヘッド１２ａが下方向に移動し、第２モータ１２ｃが逆回転の場合に第２ヘッド１２ａが上方向に移動する。第２ドグ１２ｄは、第２ヘッド１２ａとともに上下方向に移動するように、第２電動ジャッキ１２ｂに取り付けられている。
【００３０】
車体２のフレーム１４は、第１ドライブユニット４の上方に位置し、第１ヘッド１１ａが入る第１開口部１４ａと、第２ドライブユニット５の上方に位置し、第２ヘッド１２ａが入る第２開口部１４ｂと、を有する。第１開口部１４ａ内には、ブラケットを介してドライブリンケージ１０の第１接触部材１０ａに取り付けられた第１センサ１５が配置される。第２開口部１４ｂ内には、ブラケットを介してドライブリンケージ１０の第２接触部材１０ｂに取り付けられた第２センサ１６が配置される。
【００３１】
第１センサ１５は、第１ドグ１１ｄの下端を検出することにより、第１ヘッド１１ａが第１ヘッド接触面１０ｃに接触したことを間接的に検出する（図４（Ａ）参照）。第１センサ１５の検出信号は、制御部１３に出力される。制御部１３は、第１センサ１５の検出信号が入力されると、第１モータ１１ｃの回転を停止させる。なお、第１センサ１５は、第１ヘッド１１ａが第１ヘッド接触面１０ｃに接触したことを直接的に検出してもよい。
【００３２】
第２センサ１６は、第２ドグ１２ｄの下端を検出することにより、第２ヘッド１２ａが第２ヘッド接触面１０ｄに接触したことを間接的に検出する。第２センサ１６の検出信号は、制御部１３に出力される。制御部１３は、第２センサ１６の検出信号が入力されると、第２モータ１２ｃの回転を停止させる。なお、第２センサ１６は、第２ヘッド１２ａが第２ヘッド接触面１０ｄに接触したことを直接的に検出してもよい。
【００３３】
第１電動アクチュエータ１１には、第１上限センサ１７ａおよび第１下限センサ１７ｂが設けられている。第１上限センサ１７ａは、第１ドグ１１ｄの上端を検出することにより、第１ヘッド１１ａの移動が上限に達したことを間接的に検出する。第１下限センサ１７ｂは、第１ドグ１１ｄの上端を検出することにより、第１ヘッド１１ａの移動が下限に達したことを間接的に検出する。第１上限センサ１７ａおよび第１下限センサ１７ｂの検出信号は、制御部１３に出力される。制御部１３は、第１上限センサ１７ａまたは第１下限センサ１７ｂの検出信号が入力されると、第１モータ１１ｃの回転を停止させる。
【００３４】
第２電動アクチュエータ１２には、第２上限センサ１８ａおよび第２下限センサ１８ｂが設けられている。第２上限センサ１８ａは、第２ドグ１２ｄの上端を検出することにより、第２ヘッド１２ａの移動が上限に達したことを間接的に検出する。第２下限センサ１８ｂは、第２ドグ１２ｄの上端を検出することにより、第２ヘッド１２ａの移動が下限に達したことを間接的に検出する。第２上限センサ１８ａおよび第２下限センサ１８ｂの検出信号は、制御部１３に出力される。制御部１３は、第２上限センサ１８ａまたは第２下限センサ１８ｂの検出信号が入力されると、第２モータ１２ｃの回転を停止させる。
【００３５】
図３に示すように、第１電動アクチュエータ１１においては、第１上限センサ１７ａおよび第１下限センサ１７ｂの領域（第１電動ジャッキ１１ｂの外側の領域）よりも第１モータ１１ｃの領域（第１電動ジャッキ１１ｂの内側の領域）の方が大きい。同様に、第２電動アクチュエータ１２においては、第２上限センサ１８ａおよび第２下限センサ１８ｂの領域（第２電動ジャッキ１２ｂの外側の領域）よりも第２モータ１２ｃの領域（第２電動ジャッキ１２ｂの内側の領域）の方が大きい。そこで、本実施形態では、第１モータ１１ｃおよび第２モータ１２ｃを車体２の内側で互いに対向するように配置し、車体２の大型化を抑制している。
【００３６】
制御部１３は、例えば制御用ＩＣからなり、車体２内部に設けられている。以下、車体２の左側（第１走行輪４ａおよび第３走行輪６ａの側）で荷役動作を行う場合を例に挙げて、制御部１３の制御について説明する。
【００３７】
無人搬送車１が荷役動作を行うためにステーションに到着すると、制御部１３は、第１電動アクチュエータ１１の第１モータ１１ｃを回転（正回転）させて、第１ヘッド１１ａを第１ヘッド接触面１０ｃに接触させる（図４（Ａ）参照）。
【００３８】
このとき、制御部１３は、第２電動アクチュエータ１２の第２モータ１２ｃを回転させず、第２ヘッド１２ａが第２ヘッド接触面１０ｄから離れている状態を維持する。これは、クリーン環境においては、接触面を必要以上に増やさないことが好ましいからである。なお、車体２の右側で荷役動作を行う場合は、第１ヘッド１１ａを第１ヘッド接触面１０ｃから離したまま、第２ヘッド１２ａを第２ヘッド接触面１０ｄに接触させる。
【００３９】
次いで、制御部１３は、荷役動作を行うために収納室８の左側のシャッター９を開く。左側のシャッター９が完全に開くと、制御部１３は、収納室８内のスライドフォーク３を左側にスライドさせて、スライドフォーク３に搬送ワークＷを載せる（例えば、図１（Ａ）参照）。このとき、第１ヘッド１１ａが第１ヘッド接触面１０ｃに接触しているため、車体２の左側への傾斜が抑制される。すなわち、搬送ワークＷによる転倒モーメントが車体２に作用しても、車体２が左側へ転倒してしまうことはない。
【００４０】
次いで、制御部１３は、搬送ワークＷを載せたスライドフォーク３を車体２の内側にスライドさせて、搬送ワークＷを載せたスライドフォーク３を収納室８に収納する。搬送ワークＷが収納室８に収納されると（荷役動作が終了すると）、制御部１３は、シャッター９を閉じる。
【００４１】
次いで、制御部１３は、第１電動アクチュエータ１１の第１モータ１１ｃを回転（逆回転）させて、第１ヘッド１１ａを第１ヘッド接触面１０ｃから離す（図４（Ｂ）参照）。第１ヘッド１１ａが第１ヘッド接触面１０ｃから離れると、無人搬送車１は、走行を再開する。
【００４２】
結局、本実施形態に係る無人搬送車１では、第１電動アクチュエータ１１と、第２電動アクチュエータ１２と、制御部１３とで転倒防止装置が構成され、油圧アクチュエータ（例えば、油圧式のアウトリガ）が使用されない。したがって、本実施形態に係る無人搬送車１は、クリーン環境での使用に適しているといえる。
【００４３】
また、第１電動アクチュエータ１１および第２電動アクチュエータ１２は、アウトリガのように床を押さえつけるのではなく、ドライブリンケージ１０を直接固定するため、第１ドライブユニット４および第２ドライブユニット５の外側に配置するという制限が無い。したがって、本実施形態に係る無人搬送車１は、車体２の大型化を抑制できる。
【００４４】
以上、本発明に係る無人搬送車の実施形態について説明したが、本発明は上記実施形態に限定されるものではない。
【００４５】
例えば、第１電動アクチュエータ１１は、制御部１３の制御下で上下方向に移動する第１ヘッド１１ａを有しているのであれば、その構成を適宜変更することができる。同様に、第２電動アクチュエータ１２は、制御部１３の制御下で上下方向に移動する第２ヘッド１２ａを有しているのであれば、その構成を適宜変更することができる。
【００４６】
本発明のフォークは、車体２の外側で荷役動作を行うよう構成されているのであれば、スライドフォーク３以外のものでもよい。
【符号の説明】
【００４７】
１    無人搬送車
２    車体
３    スライドフォーク
４    第１ドライブユニット
５    第２ドライブユニット
４ａ〜７ａ    第１〜第４走行輪
８    収納室
９    シャッター
１０    ドライブリンケージ
１１    第１電動アクチュエータ
１２    第２電動アクチュエータ
１３    制御部
１４    フレーム
１５    第１センサ
１６    第２センサ
１７ａ    第１上限センサ
１７ｂ    第１下限センサ
１８ａ    第２上限センサ
１８ｂ    第２下限センサ
【図１】
2018203047.tif 000003
【図２】
2018203047.tif 000004
【図３】
2018203047.tif 000005
【図４】
2018203047.tif 000006
【図５】
2018203047.tif 000007
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
車体と、
前記車体の外側で荷役動作を行うフォークと、
前記車体の一方側に配置された、第１走行輪を有する第１ドライブユニットと、
前記車体の他方側に配置された、第２走行輪を有する第２ドライブユニットと、
前記第１ドライブユニットと前記第２ドライブユニットとが上下方向に互いに反対に揺動するように、前記第１ドライブユニットと前記第２ドライブユニットとを連結したドライブリンケージと、
前記車体が傾くのを抑制する転倒防止装置と、
第１センサおよび第２センサと、
を備えた無人搬送車であって、
前記転倒防止装置は、
制御部と、
前記制御部の制御下で上下方向に移動する第１ヘッドを有し、前記第１ドライブユニットの上方において前記車体のフレームに取り付けられた第１電動アクチュエータと、
前記制御部の制御下で上下方向に移動する第２ヘッドを有し、前記第２ドライブユニットの上方において前記フレームに取り付けられた第２電動アクチュエータと、
を備え、
前記第１電動アクチュエータは、前記第１ヘッドを下方向に移動させて前記ドライブリンケージに接触させることで、前記車体が前記一方側に傾くのを抑制し、
前記第２電動アクチュエータは、前記第２ヘッドを下方向に移動させて前記ドライブリンケージに接触させることで、前記車体が前記他方側に傾くのを抑制し、
前記第１電動アクチュエータおよび前記第２電動アクチュエータは、前記フレームの上面に取り付けられており、
前記フレームは、前記第１ドライブユニットの上方に位置し、前記第１ヘッドが入る第１開口部と、前記第２ドライブユニットの上方に位置し、前記第２ヘッドが入る第２開口部と、を有し、
前記ドライブリンケージは、第１接触部材および第２接触部材を備え、
前記第１接触部材は、前記第１開口部内で前記第１ヘッドと接触する第１ヘッド接触面を有し、
前記第２接触部材は、前記第２開口部内で前記第２ヘッドと接触する第２ヘッド接触面と、を有し、
前記第１センサは、前記第１開口部内に配置され、前記第１ヘッドが前記第１ヘッド接触面に接触したことを検出し、
前記第２センサは、前記第２開口部内に配置され、前記第２ヘッドが前記第２ヘッド接触面に接触したことを検出する
ことを特徴とする無人搬送車。
【請求項２】
前記フォークは、前記一方側および前記他方側で荷役動作を行うスライドフォークであり、
前記一方側での荷役動作の場合、前記制御部は、前記第２ヘッドを前記ドライブリンケージに接触させることなく、前記第１ヘッドを前記ドライブリンケージに接触させ、
前記他方側での荷役動作の場合、前記制御部は、前記第１ヘッドを前記ドライブリンケージに接触させることなく、前記第２ヘッドを前記ドライブリンケージに接触させる
ことを特徴とする請求項１に記載の無人搬送車。
【請求項３】
前記第１電動アクチュエータは、
前記制御部の制御下で回転する第１モータと、
前記第１モータの回転に応じて上下方向に移動する前記第１ヘッドを有する第１電動ジャッキと、を備え、
前記第２電動アクチュエータは、
前記制御部の制御下で回転する第２モータと、
前記第２モータの回転に応じて上下方向に移動する前記第２ヘッドを有する第２電動ジャッキと、を備え、
前記第１モータおよび前記第２モータは、前記車体の内側で互いに対向するように配置される
ことを特徴とする請求項１または２に記載の無人搬送車。
【請求項４】
前記車体は、前記フレームの上方に、前記フォークを搬送ワークとともに収納する収納室を備え、
前記収納室は、前記制御部の制御下で開閉するシャッターを備え、
前記制御部は、前記第１ヘッドまたは前記第２ヘッドを前記ドライブリンケージに接触させた後に前記シャッターを開き、荷役動作終了後、前記シャッターを閉じてから前記ドライブリンケージへの接触を解除する
ことを特徴とする請求項１〜３のいずれか一項に記載の無人搬送車。
【手続補正２】
【補正対象書類名】明細書
【補正対象項目名】０００７
【補正方法】変更
【補正の内容】
【０００７】
上記課題を解決するために、本発明に係る無人搬送車は、
車体と、
前記車体の外側で荷役動作を行うフォークと、
前記車体の一方側に配置された、第１走行輪を有する第１ドライブユニットと、
前記車体の他方側に配置された、第２走行輪を有する第２ドライブユニットと、
前記第１ドライブユニットと前記第２ドライブユニットとが上下方向に互いに反対に揺動するように、前記第１ドライブユニットと前記第２ドライブユニットとを連結したドライブリンケージと、
前記車体が傾くのを抑制する転倒防止装置と、
第１センサおよび第２センサと、
を備えた無人搬送車であって、
前記転倒防止装置は、
制御部と、
前記制御部の制御下で上下方向に移動する第１ヘッドを有し、前記第１ドライブユニットの上方において前記車体のフレームに取り付けられた第１電動アクチュエータと、
前記制御部の制御下で上下方向に移動する第２ヘッドを有し、前記第２ドライブユニットの上方において前記フレームに取り付けられた第２電動アクチュエータと、
を備え、
前記第１電動アクチュエータは、前記第１ヘッドを下方向に移動させて前記ドライブリンケージに接触させることで、前記車体が前記一方側に傾くのを抑制し、
前記第２電動アクチュエータは、前記第２ヘッドを下方向に移動させて前記ドライブリンケージに接触させることで、前記車体が前記他方側に傾くのを抑制し、
前記第１電動アクチュエータおよび前記第２電動アクチュエータは、前記フレームの上面に取り付けられており、
前記フレームは、前記第１ドライブユニットの上方に位置し、前記第１ヘッドが入る第１開口部と、前記第２ドライブユニットの上方に位置し、前記第２ヘッドが入る第２開口部と、を有し、
前記ドライブリンケージは、第１接触部材および第２接触部材を備え、
前記第１接触部材は、前記第１開口部内で前記第１ヘッドと接触する第１ヘッド接触面を有し、
前記第２接触部材は、前記第２開口部内で前記第２ヘッドと接触する第２ヘッド接触面と、を有し、
前記第１センサは、前記第１開口部内に配置され、前記第１ヘッドが前記第１ヘッド接触面に接触したことを検出し、
前記第２センサは、前記第２開口部内に配置され、前記第２ヘッドが前記第２ヘッド接触面に接触したことを検出することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】